Podtech/llm-jp-corpus-v4-ja_patent huggingface dataset:
(57)【要約】［課題］　　　体の芯から温め疲れを癒す浴槽用背もたれを提供する。［解決手段］　本発明は浴槽と体の密着を無くすため背もたれの付いた椅子を浴槽内に設置する。【選択図】　　図４
2004024789.tif 000002
【特許請求の範囲】
【請求項１】
お湯通し穴付き背もたれ椅子
【請求項２】
パイプ式取り外しシート用背もたれ椅子本体
【請求項３】
タイプ別付け替え用座席シート
【発明の詳細な説明】
【０００１】
［発明の属する技術分野］
浴槽で疲れを癒すための椅子付き背もたれを提供するものである。
【０００２】
［従来の技術］
従来、浴槽用の背もたれが無かった為、浴槽自体にもたれる様な姿勢をとり入浴していた。しかし浴槽と密着している部分が暖まらないと言う問題があった。
【０００３】
［発明が解決しょうとする課題］
浴槽内であっても椅子にもたれかかっているようにリラックスでき、又背中からお尻のほうにもお湯が回る為、全身暖まることが出来る背もたれ付き椅子を目的とする。
【０００４】
［課題を解決するための手段］
上記の問題点を解決するために本発明は、浴槽内にお湯通し穴の付いた背もたれ又は、水分をよく通す素材を使う事で快適な入浴が出来る。
【０００５】
［発明の実施の形態］
本発明は直接、浴槽と体の密着を無くす為、椅子の様な形態をしたものである。
【０００６】
上記の素材は形状部分をさびないアルミパイプ・ステンレス等で作り腰掛部分を水通しの良い素材で作り取り付ける。浸水方法は発明品の重さと吸盤で浴槽の底に固定する方法である。又、全体を耐熱プラスチック等で作ることも出来る。
【０００７】
腰を下ろす部分はプラスチック類の場合お尻が浮力で前に滑り出ない様に波状にする。又、外形部がパイプタイプの場合は腰掛部に使用するシート材質に体重が掛かる事で少し撓る様にするため滑り止めとなる。
【０００８】
浴槽の大きさに関係なく取り付けられ手入れが簡単であり小さな子供でも使用できる様になっている。
【０００９】
［実施例］
実施例について図面を参照して説明すると、図１が全体をプラスチック全般で作った物であり図２がアルミやステンレス等のパイプで作った物である。図３は図２の腰掛部分で４の部分をそれぞれ３の外形パイプにはめ込んで図４になる。
図２の１は浴槽傷防止ゴムで２は底固定用の吸盤である
【００１０】
図１に示される実施例は全体をプラスチック全般で作った全体図である。お湯と押し穴が椅子全体に開いている。
【００１１】
図２に示される実施例はパイプで外形を作った物で１の浴槽傷防止ゴムと２の滑り止め防止吸盤が付いている。
【００１２】
図３に示される実施例は図２の腰掛部であり、４の器具を３のパイプにはめ込む又はマジックテープでパイプに巻き固定することで図４の完成品となる。５の腰掛素材はお湯の吸水が良い丈夫な繊維やプラスチック・樹脂等を網目状にする事でお湯通しをする。キャラクターなども描ける事も可能である。
【００１３】
又、腰掛素材は古くなった時や切れた場合でも取替えが容易で何種類かの素材タイプがある。
【００１４】
［発明の効果］
本発明は、以上説明したような形態で実施され、いかに記載されるような効果を奏する。
【００１５】
浴槽と体が密着しない為お湯が体全体に回ることで体の芯まで温まりリラックスできる。
【図面の簡単な説明】
【図１】耐熱プラスチック・樹脂等で作った場合の形状の全体図である。
【図２】アルミやステンレス等のパイプで作った背もたれ椅子本体の実施例を示す図である。
【図３】図２の腰掛部につける取り外し座席シートの実施例を示す図である。
【図４】図２の背もたれ椅子本体に図３の座席シートを付けた完成図の実施例を示す図である
【符号の説明】
１．浴槽傷防止ゴム
２．滑り止め用吸盤
３．パイプ
４、腰掛部取り付けフック
５、腰掛部素材
【図１】
2004024789.tif 000003
【図２】
2004024789.tif 000004
【図３】
2004024789.tif 000005
【図４】
2004024789.tif 000006
(57)【要約】【課題】紙おむつやパンツの内側に装着する男性用の尿取りパッドであり。男子の尿失禁時のおむつ使用回数を減らし、なおかつ装着が容易で、かつ尿もれが少ない男性用尿取りパッド提供する。【解決手段】基台（１）の両側より、上面に向けて、カバー（２）及びカバー（３）を設け、先端に包容部（７）を形成し、カバー（２）の他端とカバー（３）の他端が重なり合うように切込み部（５）を設け、カバー（３）の下端部を延長させて覆い部（４）を設け、覆い部（４）の上面に粘着部（８）を設けた男性用尿とりパッド。【選択図】　　　　図１
2004024790.tif 000002
【特許請求の範囲】
【請求項１】
基台（１）の両側より、上面に向けて、カバー（２）及びカバー（３）を設け、先端に包容部（７）を形成し、カバー（２）の他端とカバー（３）の他端が重なり合うように切込み部（５）を設け、カバー（３）の下端部を延長させて覆い部（４）を設け、覆い部（４）の上面に粘着部（８）を設けた男性用尿とりパッド。
【発明の詳細な説明】
【０００１】
【発明の属する技術分野】
この発明は、男子の尿失禁時のおむつの使用枚数を減らし、なおかつ装着を簡単にする男性の尿専用パッドに関するものである。
【０００２】
【従来の欠点】
従来の紙おむつは、下半身に装着し、使用しているが小便用、大便用兼用として使用されている。
【０００３】
【発明が解決しようとする課題】
これには、次のような欠点があった。
イ．従来の紙おむつは、大便、小便の兼用であり、区別されていない。このため、男性は小便の回数が多いにもかかわらず、そのつど、紙おむつを捨てなければならず、不経済であった。
ロ．紙おむつが大量の尿を吸収することにより、尿の重量で、離脱し下へずり落ちていた。このため、不快感があった。又、衣類、シーツ等にも尿が流れてしまった。
ハ．外出時に、かさばって、持ち運びが大変であった。
本発明は、以上の欠点を解決するためになされたもので、携帯に便利で、経済的な男性用尿とりパッドを提供するものである。
【０００４】
【課題を解決するための手段】
基台（１）の両側より、上面に向けて、カバー（２）及びカバー（３）を設け、先端に包容部（７）を形成し、カバー（２）の他端とカバー（３）の他端が重なり合うように切込み部（５）を設け、カバー（３）の下端部を延長させて覆い部（４）を設け、覆い部（４）の上面に粘着部（８）を設ける。
本発明は、以上の構成よりなる男性用尿とりパッドである。
【０００５】
【発明の実施の形態】
以下、本発明の実施の形態を説明する。
イ．略三角形状の基台（１）の両側より、基台（１）と一体化して、カバー（２）及びカバー（３）を設け、基台（１）とカバー（２）とカバー（３）より、囲まれる包容部（７）を設ける。
ロ．カバー（２）の他端とカバー（３）の他端を重なり合うように、切込み部（５）を設け、カバー（２）とカバー（３）は、開閉を自由にする。
ハ．カバー（３）の後端部を延長させて、覆い部（４）を一体化して設け、覆い部（４）の上面に粘着部（８）を設ける。
ニ．本体を紙おむつ又は、下着（１０）の内側前面部に、覆い部（４）の粘着部（８）により、着脱自在に貼付ける。
本発明は以上の構成によりなり立っている。
本発明を使用する時は、紙おむつ（９）又は、下着に装着させて、本発明に男性器（１０）を挿入部（６）より入れて、包容部（７）に男性器を収容させる。この時、カバー（２）及びカバー（３）に切込み部（５）を形成させることにより、収容が楽にできる。
本体に小便をした後は、本体覆い部（４）の粘着部（８）より、本体を紙おむつ又は、下着より離し、本体のみを廃棄する。さらに新たな本発明を男性器に装着する。
【０００６】
【発明の効果】
紙おむつの使用枚数が減り、経済的である。
カバー（２）とカバー（３）を重ね合わせることによって、男性器の出し入れが容易に、そしてカバーが二重になることによって、多くの尿が吸収され、尿もれが防止できる。皮膚のカブレも防止できる。又、腹部に、覆い部（４）が当たることによって、パッド全体が安定し、装着の違和感がなく、脱落することもない。
【図面の簡単な説明】
【図１】本発明の斜視図
【図２】本発明の分解斜視図
【図３】Ａ−Ａ断面図
【図４】本発明の使用状態を示す側面図
【符号の説明】
１　基台
２　カバー
３　カバー
４　覆い部
５　切込み部
６　挿入部
７　包容部
８　粘着部
９　紙おむつ
１０　男性器
【図１】
2004024790.tif 000003
【図２】
2004024790.tif 000004
【図３】
2004024790.tif 000005
【図４】
2004024790.tif 000006
(57)【要約】【課　題】スライド介護ベッドは座部をスライドさせるため患者等の体重も加わりスライド時（引き出し時）転倒の危険があった。【解決手段】脚部をスライド（引き出し）する。【選択図】　図１
2004024792.tif 000002
【特許請求の範囲】
【請求項１】
ベッド脚部が手動もしくは電動式にて（引き出し）スライドし、脚部下部にスライド部を有し、スライド部は左右に動く様に接続されたベッド。
【発明の詳細な説明】
【０００１】
【発明の属する技術分野】
本発明は年長者や身障者の介護の用に供する病院等における患者（年長者、身障者等で以下患者等という）のベッドへの出入りの際に患者等や介護者の負担を軽減できるようにしたスライド式介護ベッドに関する。
【０００２】
【従来の技術】
従来のスライド式介護ベッドは座部が（引き出し）スライドする様になっている。
【０００３】
【発明が解決しようとする課題】
従来のスライドベッドでは座部がスライドするので患者等の体重も加わりスライド部に負担があり荷重変化による傾き及び転倒防止のため転倒防止用重り、床面荷重及び転倒防止用脚等が必要であり問題がある。
【０００４】
【課題を解決するための手段】
〔図１〕に示すスライド装置（３）には〔図２〕（ａ）に示す脚部側（移動側）スライド装置（１）及び座部側（固定側）スライド装置（２）を設け、上部水平ローラー、ガイドローラーレール（１）ａ、上部水平ローラー（２）ａで引張荷重を下部水平ローラーガイドレール（１）ｂ、下部水平ローラー（２）ｃで圧縮荷重を分散負担する。
【０００５】
【発明の実施の形態】
この発明の実施形態を〔図１〕に斜視図で示す。〔図１〕においては脚部フレーム（４）を含む脚部側（移動側）スライド装置（１）が引き出された状態を斜視図で示してある。
【０００６】
【実施例】
実施例を図面を参照にして説明する。
〔図２〕（ａ）においては、手動式の場合のスライド装置の（３）の側面図が示されている。
【図２】（ｂ）においては座部（固定側）スライド装置（２）の正面図が示されている。
【図２】（ｃ）においては脚部（移動側）スライド装置（１）の正面図を示している。脚部フレーム（４）を引き出す時座部（固定側）スライド装置（２）の上部水平ローラー（２）ａ、上部ガイドローラーレール（１）ａに沿って脚部（固定側）スライド装置（２）の上部水平ローラー（２）ａ上部ガイドローラー（２）ｂがすうちゃくしスライド装置（３）の下部水平ローラーガイドローラーレール（１）ｂ下部水平ローラー（２）ｃも同様にすうちゃくし脚部フレーム（４）を引き出す。上部ガイドローラー（２）ｂ、下部ガイドローラー（２）ｄは円滑に脚部フレーム（４）を引き出すために設ける。
【０００７】
通常時に引き込める時は逆の動作順序で行う。図示しないが電動式の場合はスライド装置〔図２〕（ａ）の空間部（５）に「リニア・アクチュエーター」等のアクチュエーターを組み込むことで、手元スイッチ等の操作で容易に移動させる事ができる様になっている。
【０００８】
【発明の効果】
従来のスライド式介護ベッドでは出来なかった患者等を移動させる事なくベッドをスライドさせることが出来、実用化することが出来る。
【図面の簡単な説明】
【図１】スライド時を示した患者等が座った場合の斜視図である。
【図２】スライド装置内部を示した斜視図である。
【符号の説明】
（１）　　脚部側（移動側）スライド装置
（１）ａ　上部水平ローラー、ガイドローラーレール
（１）ｂ　下部水平ローラー、ガイドローラーレール
（２）　　座部側（固定側）スライド装置
（２）ａ　上部水平ローラー
（２）ｂ　上部ガイドローラー
（２）ｃ　下部水平ローラー
（２）ｄ　下部ガイドローラー
（３）　　スライド装置
（４）　　脚部フレーム
（５）　　座部フレーム
（６）　　装置内空間部
【図１】
2004024792.tif 000003
【図２】
2004024792.tif 000004
(57)【要約】【課題】ゴルフコンペの運営・進行をスムーズにする【解決手段】ゴルフコンペの運営を情報入力作業、スコア入力集計作業、表彰式進行作業と一連の連結したシステムにすることで、今まで分業されていたゴルフコンペの運営がスムーズに行うことができるようになる。そしてゴルフコンペの色々な結果を表示する画面を時間や音響効果でコントロールすることで事前に予定した時間で表彰式などを終了させることができるようになる。【選択図】図１
2004024797.tif 000002
【特許請求の範囲】
【請求項１】
ゴルフスコア集計の際に色々な条件に対応したスコア集計をする機能を備えたことを特徴とするゴルフコンペ運営システム。
【請求項２】
コンピュータなどで集計されたゴルフスコアやその結果をモニターやプロジェクターで表示されるゴルフコンペ専用の装飾画面にゴルフスコアやその結果を自動的に挿入するゴルフコンペ運営システム。
【請求項３】
モニターやプロジェクターで表示されるゴルフスコアや結果の表示時間を事前に設定したり、効果音や音楽などの音響効果を加えることで表彰式などの進行をスムーズに行うことができるゴルフコンペ運営システム。
【発明の詳細な説明】
【０００１】
【発明に属する技術分野】
本発明はゴルフコンペでスコア集計をする際に、スコアが数字の順位・等賞だけではなく色々な条件で並べることが出来る機能を有し、その結果をコンペ専用の表示画面に表示させて表示時間の設定をすることでゴルフコンペの運営、表彰式などの進行がスムーズに行える機能を有したゴルフコンペ運営システムに関するものである。
【０００２】
【従来の技術】
従来のゴルフコンペの運営において、スコアの集計はハンディキャップを設定して優劣を決定するだけのものであり、参加者のスコア以外の条件によるスコア集計の差別化はなされてはいなかった。そのためにスコア集計後に改めて条件の違いで順位などの成績を決定していた。
また表彰式などの進行は集計された結果とは連動されず行われていた。
【０００３】
【発明が解決しようとする課題】
従来のゴルフコンペ運営システムだとあらかじめ選択したゴルフスコアの数字の集計だけで順位や等賞を決定していたが、順位や等賞対象者と順位や等賞非対象者を自動的に判別することはされていなかった。そのために条件の違いによる集計を何度も行なう必要があった。そしてその結果を表示したりアウトプットするシステムと連動していないために、それぞれが別々の業務として行われ多くの人員が必要であった。また表彰式などの進行が別々の業務のためにスムーズに行うことが難しかった。
【０００４】
【課題を解決するための手段】
上記目的を達成する本発明は次の通りである。
今までのダブルペリアやペリア、またキャロウェイや変則キャロウェイなどのゴルフスコアの集計方法や年齢や性別の違いによる優先順位の決定方法の他にモーニングハンディ、カウントバックなどの優先順位決定条件をプラスしてあらゆる条件に対応するゴルフスコアを集計させる。そして事前に順位や等賞対象者と順位や等賞非対象者を設定することで、自動的にリストアップされたプレイヤーだけのゴルフスコア集計を可能にする。
また上記のゴルフスコア集計を表彰式などの進行に沿って作られた専用表示画面と自動的に連動させたことで、少ない人数での表彰式などの進行が行える。そして表示画面に表示時間などを設定することで表彰式などの進行時間の調整がスムーズに行えるようになるゴルフコンペ運営システム。
【０００５】
【発明の実施の形態】
以下に係るゴルフコンペ運営システムの具体的な例を図画を参照にして説明する。
第１図は本発明の一実施システムを示している。ゴルフコンペ運営を行う際に事前に色々な情報入力作業２０が必要になる。まず参加者基本情報入力１で参加者情報を入力し、スコア集計方式の選択２でスコアの計算式を選択する。次に同じスコアの場合の優先順位の選択３で優先順位を選択し、スコア集計対象除外者を区分けする場合にはゴルフスコア集計非対称者のチェック４を行う。そして各等・各賞の詳細５を設定する。この時点でゴルフコンペ終了後、または途中でモニターやプロジェクターで表示される画面が自動的に作成される。表示される画面は表示時間の設定と共に表示時の効果音や音楽などの設定を行うこともできる。次に、基本情報入力作業が完了しそれぞれの入力情報の確認が終了してからスコア入力作業８を開始する。スコア入力作業が完了後スコアは自動集計されスコア集計結果などをプリントアウトすることもできる。
またスコア集計作業が完了と同時に、あらかじめ設定された表示画面に自動的にその集計結果がソートされる。
そして各種入力作業や集計作業が終了後、あらかじめ設定された表示画面にソートされた結果をモニター画面やプロジェクターなどで表示させて表彰式などの進行をスタートする。その際、事前に設定した時間設定通りに表示画面をコントロールすることが可能になる。なお情報入力作業２０はどの作業からでも開始することもできる。
スコア入力集計業務２１でゴルフコンペ参加者のスコア入力業務８を行い、全員のスコア入力が終了後、スコア集計業務９を行う。スコア集計業務９で集計された結果はプリントアウト１４をすることもできる。なおスコア入力作業８の途中でも、それまで入力された結果を経過表示１５させることもできる。
スコア集計作業２１で入力されたスコアはスコア集計業務９が終了した時点で自動的に表示画面に自動ソート１６が行われる。
そして表彰式進行２２は表彰式用画面表示１０が表示されスタートする。
この時効果音や音楽などと連動させてスムーズな表彰式の進行を行うこともできる。そして自動ソートされた各等・各賞の結果を各等・各賞画面表示１１で表示させる。各等・各賞画面表示１２の数はあらかじめ設定されている。各等・各賞画面表示も時効果音や音楽などと連動させてスムーズな表彰式の進行を行うこともできる。
そして設定された各等・各賞画面表示の終了後終了画面が表示され表彰式が終了する。この時の終了画面にも効果音や音楽などと連動させてスムーズな表彰式を終了させることもできる。
【０００６】
【発明の効果】
本発明をゴルフコンペの運営で利用することで、今までの分業されていたゴルフコンペの運営が一体化されてスムーズに実施できるだけではなく、運営にかかわる人員の数の削減も可能になる。
またゴルフコンペの表彰式があらかじめ設定した表示画面の時間コントロールや映像や音響効果などにより、スムーズに進行するようになる。
上記のことが可能になることでゴルフコンペの運営がスムーズになるだけではなく、ゴルフコンベの運営に関する経費の節減ができるメリットが生まれる。
【図面の簡単な説明】
【図１】本発明に係るシステム概略構成図である。
【符号の説明】
１…参加者基本情報入力
２…スコア集計方法の選択
３…スコア優先順位の選択
４…スコア集計非対称者の選択
５…各等、各賞の設定
６…各等、各賞画面の順番設定
７…表示画面の時間、効果音などの設定
８…スコア入力業務
９…スコア集計業務
１０…表彰式用画面表示
１１…各等・各賞画面表示
１２…各等・各賞画面表示
１３…終了画面
１４…プリントアウト
１５…経過表示
１６…表示画面へ自動ソート
１７…効果音／音楽１
１８…効果音／音楽２
１９…効果音／音楽３
２０…情報入力作業
２１…スコア入力集計作業
２２…表彰式進行作業
【図１】
2004024797.tif 000003
(57)【要約】【課題】従来の普通の水を撒くなどだけでは燃焼物の温度をそれほど下げることが出来ない。【解決手段】本発明は、消化剤を冷却して使用することにより、燃焼の条件である燃える物、燃やす物、燃えるのに十分な温度のうち。空気と温度と燃焼物の温度を下げることにより、消火を助ける。【選択図】　図１
2004024798.tif 000002
【特許請求の範囲】
【請求項１】
消火液の冷やして温度を下げることにより、燃焼を抑えて、消火を助ける。
【発明の詳細な説明】
【０００１】
【発明の属する技術分野】本発明は、燃焼に必要な要素の、燃える物、燃やす物、燃えるのに十分な温度のうち、消化液を冷やすことにより、燃焼場所の温度を下げることで、燃焼や、延焼等を抑えて、消火を助ける技術に関するものである。
【０００２】
【従来の技術】従来の技術としては、普通の水を放水する。泡を噴射する。消化剤を撒く等の方法が存在する。
【０００３】
【発明が解決しようとする課題】従来の普通の水を撒くなどだけでは燃焼物の温度をそれほど下げることが出来ない。
【０００４】
【課題を解決するための手段】本発明は、消化剤を冷却して使用することにより、燃焼の条件である燃える物、燃やす物、燃えるのに十分な温度のうち。空気と温度と燃焼物の温度を下げることにより、消火を助ける。
【０００５】
【発明の実施形態】以下、本発明の実施の形態について説明する。消防車が汲み上げた消化剤を冷却タンクに通すことにより、冷やし、これを放出することで、温度を下げて燃焼を抑える。
【０００６】
【実施例】以下、本発明の実施例を説明するが、その要旨を超えない限り以下の実施例に限定されるものではない。消防車の消火装置、建物の消火装置、ヘリコプターの消火装置、船舶の消火装置。持ち運びの消火装置。
【０００７】
【発明の効果】燃焼を抑え、延焼を防ぎ、周囲の温度を下げることにより、消火を早め人的、物的被害を減らして２次災害も抑える。これにより、人的被害を減らすことができる。
【０００８】
【図面の簡単な説明】
【図１】冷却消火装置を示した正面図である。
【符号の説明】
（１）冷却タンク
（２）コンプレッサー
（３）制御装置
（４）通気孔
（５）ファン
（６）放熱部
（７）弁
（８）ホース
（９）ポンプ
（１０）冷却部
【図１】
2004024798.tif 000003
(57)【要約】【課題】横になってテレビや本を見るのに最適な腕まくらの機能を持ちながら、一見枕には見えないものにする事で居間に常設しても雰囲気を壊さないようにする事。【解決手段】上記課題を解決するために腕まくら全体を小さく仕上げ、台座とクッション部の２構造としたもので、台座面を小物入れのミニ箪笥とした形態であり居間に飾る事も出来る。そして従来にはない１８センチ程度の高さと硬めのクッションとする事で、休憩して寛ぐには最も適した腕まくらが実現する。【選択図】　図１
2004024800.tif 000002
【特許請求の範囲】
【請求項１】
木や樹脂などの部材を台座部とした支持台と硬めに仕上げたクッション部からなる小型の腕まくらであって、該台座部が引き出しの付いた小物入れ構造をなしている事を特長とするミニ箪笥型腕まくら。
【請求項２】
請求項１に記載の腕まくら全体の寸法比率が横幅より縦幅が大きい形態となっている事を特長とするミニ箪笥型腕まくら。
【発明の詳細な説明】
【０００１】
【発明の属する技術分野】本発明は居間などで使用する腕まくらに関する。
【０００２】
【従来の技術】従来の枕は睡眠用としてさまざまな素材や形状のものが発売され、それぞれ快適な安眠を目的として作られているが、休憩のために寛ぐ事を目的とした枕も普通の枕とあまり相違ないものであった。
【０００３】
【発明が解決しようとする課題】日本人のように靴を脱いで家に住む生活では畳やじゅうたんの上にごろ寝する事が極めて多いのである。しかるに枕といえば睡眠用かソファー用枕が主流であり、ごろ寝に使用するには低すぎる事と軟らかすぎるため非常に具合の良くないものであった。
【０００４】上記のごろ寝とは睡眠ではなくテレビを見たり、本を読んだり長電話などをしながら寛ぐ状態をいう。
【０００５】そして普通の枕形態のものは居間などに常備して置くのは来客者から見れば見苦しいものであり、そのような場合でも困らない腕まくらが切望されていたのである。
【０００６】
【課題を解決する為の手段】本発明は上記事情を鑑みてなされたものであり、常時居間に置ける飾り物風としたもので、台座部を小物入れのミニ箪笥とし枕部が上部に乗っている形態の腕まくらとした。
【０００７】そして横幅を狭くコンパクトにすると共に高さは略１８センチと高めにし、横になってテレビや本を読む体勢の時に最適の高さを持つ腕まくらとしたものであるが、この高さを持つ物で枕の代わりになるようなものは以外に存在しないのである。
【０００８】
【作用】本発明の腕まくらは先述したように枕には見えない事が特長で、小さな箪笥を兼用している。従ってその形状から昔の大名が使用していた枕に似ている事から、殿様まくらや姫様まくらなどの名前を冠したキャラクター的な飾り物ともなる形態をなしている。
【０００９】ミニ箪笥は小物入れとして重宝で、居間でごろ寝をする場合に身近にあると便利なものを収納出来る。例えば耳掻きや爪きり、たばこやライターなどが腕まくらに常備されるため相性がピッタリである。
【００１０】
【実施例】以下、実施例を図面を参照して説明する。
図１は本発明の腕まくらの形状例を示す全体の正面図である。台座部がミニ箪笥Ａになっており、左右もしくは手前が引き出し部Ｂになっている。
【００１１】そして頭部Ｃが枕になっており、裁縫まくら風に上部両面がアーチ型形状をなし比較的硬いクッションとなっている。
【００１２】全体像は横幅より縦に長い形状が特長で、極めてコンパクトな構造のため飾り物としても良く、高級家具調や安価な実用品など色々な形態が可能である。
【００１３】本発明の目指す所は腕まくらを箪笥風飾り物に見せる事にある。従って引き出しの位置や段数は特に限定するものではない。
【００１４】
【効果】本発明の腕まくらは従来には全く存在しない高さを持っており、横になって寛ぐには極めて快適なものである。しかもクッション部は硬めのため頭が沈む事がなくヘアーが乱れたり潰されたりしないので美容室でセットした後には特に必需品である。
【００１４】また、実は腕まくらでありながらミニ箪笥形態なので居間に常備していてもだらしなく感じる心配もないのである。そして現実に小物入れとして使用するので身近で使用する事が多い耳掻きや爪きりなどを収納するには誠に便利な実用品である。
【図面の簡単な説明】
【図１】本発明の腕まくらの形状例を示す正面図である。
【符号の説明】
Ａ：台座部
Ｂ：小物入れ引き出し
Ｃ：クッション部
【図１】
2004024800.tif 000003
(57)【要約】【課題】硬くならない陰茎や硬さが永く保持されない陰茎は年齢的な衰えや病気である．この場合、本発明の男性性機能補助具を使えば亀頭及び陰茎は勃起し長さも伸張し太さも増減可能であり、性交中、中折れの心配もなく長時間の性交が可能である。これ等を特長とする男性性機能補助具である。【解決手段】装着に陰圧を利用して陰茎亀頭部の勃起と装着を同時に行う特長をもつ男性性機能補助具である【選択図】図３
2004024793.tif 000002
【特許請求の範囲】
【請求項１】
この発明は陰圧をもって男性性機能補助具を男性性器に装着させることを特長とするものである。
【請求項２】
男性性器に装着する男性性機能補助具で陰圧により装着するため陰圧筒口に密着するための鍔をもった男性性機能補助具を特長とするものである。
【請求項３】
空気室中に中折れ防止プレート７を付けることで中折れ防止を特長とするものである。
【請求項４】
ゴムチューブによる亀頭以下陰茎基根部に至る円柱状に扼圧勃起させる特長をもつものである
【請求項５】
空気室４の空気量により補助具の太さが調整出来る事を特長とするものである。
【請求項６】
空気室にマイクロバイブレータ２１やボール２２や凸物を封入することでＧスポット刺激する特長をもつものである。
【請求項７】
鍔外周辺に棒状突起２３を付け中にマイクロバイブレータを封入しクリトリスを刺激する特長をもつものである。
【発明の詳細な説明】
【０００１】〔発明の属する技術分野〕
本発明は、人口的に男性の性器を勃起状態にするために、陰茎に装着される男性性機能補助具である。
【０００２】〔従来の技術〕
陰圧筒に陰茎を入れ陰圧により陰茎を勃起させ、陰茎基根部をゴムバンドで締め勃起血の戻りを止め性交するものや、同部にリングをはめ、性交するものが普及している。
【０００３】〔発明が解決しようとする課題〕
しかしながらゴムバンドやリングで締めるものは、かなりな扼圧を一箇所にかけるため苦痛が起こり長時間の性交が出来ないし、取り外しに手間がかかる。
【０００４】〔課題を解決するための手段〕
前記の従来の技術の問題点を改善して使い易い男性性機能補助具である。鍔外周部に棒状突起２３がありクリトリス刺激用のマイクロバイブレーター２４や空気室に封入のボール２２やマイクロバイブレータ２１でＧスポットを刺激して相手女性に正常な性生活を与えることの出来る男性性機能補助具である。
【０００５】〔発明の実施の形態〕
陰圧筒１は勃起した亀頭８の直径の２倍位の筒としガラス又はアクリル製の透明がよい。
陰圧筒の片端は陰圧ポンプに通じるホース取付け口９となって居り、他端口１７は亀頭勃起時の直径のやや大きめとし陰圧筒の長さ１１は亀頭勃起時の亀頭先端より陰茎基根部１３までの長さの１．５倍位の長さとなる。
男性性機能補助具２はゴム又はシリコンゴム等の柔軟に富んだチューブにより作られ、二重に重ねられたチューブで片端１４はそのままで、他端はゴムの鍔１２がチューブに接着されている鍔付二重ゴムチューブである接着により空気室４ができる。チューブの径は陰圧勃起前の直径１５の１．５倍の径となりチューブの長さは勃起前の亀頭下部より陰径基根部１６の長さの１．３倍とする。
【０００６】〔実施例〕
陰圧筒１に鍔付二重ゴムチューブ２をセットして陰茎３をセットして陰圧をかける。
陰茎３は陰圧により鍔付二重ゴムチューブ２に引込まれる。この時チューブ内側に潤滑用グリスを塗っておけば装着も取り外しもスムーズである。
陰圧により陰茎は充分勃起して性交可能な状態となる。
このチューブ二重部分の空気室に適量の空気４が入っており亀頭勃起の下部５と陰茎基根部６との間に陰茎軸方向に引張りが行われ陰茎伸張を果たすゴムチューブに空気の入った感触は、性交中、女性性器に男性感触を伝えるのに充分であり、安全である。
この空気室には、中折れ防止のプレート７が片面に接着されて居り、完全に中折れが防止できる。
空気室に封入する空気の量により装着した補助具２の太さが調整できる。
【０００７】〔発明の効果〕
性交時陰茎は完全勃起状態であり、適度の硬さと長さをもち、太さも変化に富んでおり、中折れはなく、持続は取り外さない限り続き感触は人膚と変わりなく健康な男性として性交が実現できる。
【図面の簡単な説明】
【図１】男性性機能補助具のセットを示す図である
【図２】装着出来た図である
【図３】男性性機能補助具の平面図断面図である
【図４】陰圧筒平面図・断面図である
【図５】空気室にボールを封入し鍔外周部に棒状突起をつけた図である
【図６】空気室にマイクロバイブレータを封入した図である
【符号の説明】
１．陰圧筒
２．男性性機能補助具
３．勃起前の亀頭
４．空気室
５．亀頭勃起の下部
６．陰茎基根部
７．中折れ防止プレート
８．勃起した亀頭
９．陰圧吸入口
１１．陰圧筒の長さ
１２．鍔部
１３．勃起した亀頭と陰茎基根部までの長さ
１４．亀頭口
１５．勃起前の直径
１６．勃起前の亀頭下部より陰茎基根部までの長さ
１７．陰圧口
２１．空気室に封入されたマイクロイバイブレータ
２２．空気室に封入されたボール
２３．突起に封入されたマイクロバイブレータ
【図１】
2004024793.tif 000003
【図２】
2004024793.tif 000004
【図３】
2004024793.tif 000005
【図４】
2004024793.tif 000006
【図５】
2004024793.tif 000007
【図６】
2004024793.tif 000008
(57)【要約】【課題】本発明はゲーム機のメンテナンス時の利便性を高めるものである。【解決手段】本体１と、この本体１に対して開閉自在に設けられるとともに、電子機器を有する前面板４とを備え、前記本体１の前面板４対向部分には電源一次コイル５と発信部６を設け、これらの電源一次コイル５と発信部６に対向する前面板４部分には電源二次コイル７と受信部８とを設けた。【選択図】　図１
2004024747.tif 000002
【特許請求の範囲】
【請求項１】
本体と、この本体に対して開閉自在に設けられるとともに、電子機器を有する前面板とを備え、前記本体の前面板対向部分には電源一次コイルと発信部を設け、これらの電源一次コイルと発信部に対向する前面板部分には電源二次コイルと受信部とを設けたゲーム機。
【発明の詳細な説明】
【０００１】
【発明の属する技術分野】
本発明はパチンコ機やスロットマシン機等のゲーム機に関するものである。
【０００２】
【従来の技術】
この種ゲーム機は、本体と、この本体に対して開閉自在に設けられるとともに、電子機器を有する前面板とを備えた構成となっていた。
【０００３】
【発明が解決しようとする課題】
前記前面板の電子機器への電源と信号供給は、いずれも本体側からコードを介して行う構成となっていた。
【０００４】
このためメンテナンス時等にそのコードが邪魔になって利便性に欠けるものであった。
【０００５】
そこで本発明はメンテナンス時の利便性を高めることを目的とするものである。
【０００６】
【課題を解決するための手段】
そしてこの目的を達成するために本発明は前記本体の前面板対向部分には電源一次コイルと発信部を設け、これらの電源一次コイルと発信部に対向する前面板部分には電源二次コイルと受信部とを設けたものであって、前面板の電子機器への電源供給と信号伝達がコードレスで行える構成であるので、メンテナンス時等の前面板開閉時に、そのコードの存在によるわずらわしさがなく、利便性の高いものとなる。
【０００７】
【発明の実施の形態】
図１に示すごとく本実施形態では、本体１と、この本体１に対して開閉自在に設けられるとともに、電子機器の一例としてのスピーカ２やランプ３を有する前面板４とを備えている。前記本体１の前面板４対向部分には電源一次コイル５と発信部６を設け、これらの電源一次コイル５と発信部６に対向する前面板４部分には電源二次コイル７と受信部８とを設けている。
【０００８】
つまり本実施形態においては、スピーカ２やランプ３への電源供給は電源一次コイル５から電磁結合により電源二次コイル７へと伝達することにより行うようになっている。
【０００９】
また本体１側からの信号伝達も発信部６から光により受信部８へと伝達するようになっている。
【００１０】
つまり、前面板４の電子機器への電源供給と信号伝達がコードレスで行える構成であるので、メンテナンス時等の前面板４開閉時に、そのコードの存在によるわずらわしさがなく、利便性の高いものとなる。
【００１１】
【発明の効果】
以上のように本発明は、本体と、この本体に対して開閉自在に設けられるとともに、電子機器を有する前面板とを備え、前記本体の前面板対向部分には電源一次コイルと発信部を設け、これらの電源一次コイルと発信部に対向する前面板部分には電源二次コイルと受信部とを設けたものであって、前面板の電子機器への電源供給と信号伝達がコードレスで行える構成であるので、メンテナンス時等の前面板開閉時に、そのコードの存在によるわずらわしさがなく、利便性の高いものとなる。
【図面の簡単な説明】
【図１】本発明の一実施形態の斜視図
【符号の説明】
１　本体
４　前面板
５　電源一次コイル
６　発信部
７　電源二次コイル
８　受信部
【図１】
2004024747.tif 000003
(57)【要約】【課題】遊戯台の前面枠取り付け用蝶番として一般に上下一対の上下方向差し込み蝶番が使用されているが、同方式では前面枠を装着する際、前面枠の重量を支えながら、上下二組の支持軸を同時に芯合わせしながら、挿入作業をしなければならないので作業性が良くないと云う問題がある。【解決手段】本発明では上下蝶番の内上方の蝶番に横方向から装着出来る構成蝶番を考案して、前面枠の重さを下方の蝶番にもたせた状態で装着作業が出来るようにして作業が容易になるようにした。【選択図】　　　図１
2004024814.tif 000002
【特許請求の範囲】
【請求項１】
支持軸（３）を固着した固定金具（２）と、先端に開先切込部（１１）と支持軸収容部（１２）を備えた保持金具（５）と、同保持金具に滑動保持され先端にガイド用傾斜面（１３）を備え且つ後方の曲げ突起（１４）によって前方に押し圧力がはたらくようにセットされたスプリング（７）を保持する滑動子（６）とで構成される遊戯台の構成蝶番。
【発明の詳細な説明】
【０００１】
【発明の属する技術分野】
本発明はパチンコ球を使用する遊戯台に於いて、前面枠等を保持する蝶番の構造に関わる技術に関する。
【０００２】
【従来の技術】
従来のパチンコ遊戯台の前面枠等の取り付け蝶番の多くは上下蝶番の支持軸を上下方向に抜き差しして前面枠の脱着を行なう構成の差し込み蝶番が使用されている。　（従来の実施例として、特許番号２６３１８７２、実用新案登録番号３０６６３０１、等参照。）
【０００３】
【発明が解決しようとする課題】
前述のような従来の支持軸を上下方向に抜き差しして脱着を行なう蝶番に於いて前面枠を装着する際には上下の抜き差しする軸芯を同時に合わせながら差し込まなければならないが、同前面枠は遊戯盤本体等が取り付けられて重い物となっておりその重さを支えながら前述のような装着作業を行なうのは容易ではなく作業性が悪いと云う問題があった。
【０００４】
【課題を解決するための手段】
本発明では前記の様な問題点を解決する為に、上下に配置し取り付ける蝶番の上方の蝶番の装着方法を上下方向に抜き差しする方式ではなく、横方向から装着出来る構造の蝶番を提供して前面枠の装着作業が容易になるよう考案した。
【０００５】
【発明実施の形態】
本発明の実施の形態を示す様子を図面を参照にして説明する。
図１に於いて、支持軸３を固着した固定金具２は遊戯台の外枠１に取り付けてあり、前面枠４には左方先端に開先切込部１１と支持軸収容部１２を設けた保持金具５が取り付けられており、同金具は又内側に滑動子６を滑動保持出来る構造になっている、滑動子６は又左方先端にガイド用傾斜面１３を備え右方にはスプリング７を収容して保持金具５の曲げ突起１４との間で左方への押し圧力が働くように取り付けてある。又滑動子６には左方への抜け止めの為突起部１５が設けてある。本発明の構成蝶番の前面枠への取り付け実施例は以上の様な構成となるが、図３はその本発明の構成蝶番を左上方に取り付け左下方には支点軸１６を備えた受け金具８と保持穴１７を備えた支持金具９とで構成される従来式の上下方向差し込み蝶番を取り付けた実施例を示したもので、図２はその左下の差し込み蝶番部のＢ−Ｂ断面図で支点軸１６が保持穴１７に嵌入している状態を示している。
【０００６】
【発明実施の効果】
以上のように構成した本発明の実施例に於いて、前面枠４を外枠１に装着するには、先ず図３の左下の差し込み蝶番部を芯合わせの上装着して、のち前面枠の全重量を受け金具８に持たせた状態で上部の構成蝶番部の支持軸３が開先切込部１１とガイド用傾斜面１３の中間に来るようにしながら保持金具５を支持軸３に押しつけ押し込むようにする。その力でスプリング７が押し込まれて滑動子６が後退しガイド用傾斜面１３のガイド効果によって支持軸３は矢印１０の様な経路を経て保持金具５の支持軸収容部１２に保持される。従ってこの時点で上下蝶番の軸芯は固定され即ち前面枠は外枠に装着されたことになる。　尚取り外しの際は滑動子６の突起部１５を右方に引き支持軸収容部１２を開いて支持軸３が装着時の経路矢印１０の逆の経路をたどる様にすれば上方の構成蝶番部は外れるので、しかる後下方の蝶番部の嵌入部を抜き外しすればよい。
以上の様に本発明による構成蝶番を遊戯台の前面枠の蝶番に使用すれば、前面枠を装着する際に従来の様に上下の取り付け蝶番とも上下方向差し込み蝶番を使用して装着する場合に前面枠の全重量を支えながら上下軸芯を同時に合わせながら挿入装着しなければならないと云う作業性の悪さを、上方の構成蝶番部を装着する際には前面枠の重量は下方の蝶番部に持たせて於いて横方向から押し付ければ装着出来るようになるので、本発明品により改善する事ができる。
【図面の簡単な説明】
【図１】本発明の実施例図３のＡ−Ａ断面図である。
【図２】本発明の実施例図３のＢ−Ｂ断面図である。
【図３】本発明品の取り付け実施例の正面図である。。
【符号の説明】
１、　　　遊戯台の外枠
２、　　　固定金具
３、　　　支持軸
４、　　　前面枠
５、　　　保持金具
６、　　　滑動子
７、　　　スプリング
８、　　　受け金具
９、　　　支持金具
１０、　　矢印
１１、　　開先切込部
１２、　　支持軸収容部
１３、　　ガイド用傾斜面
１４、　　曲げ突起
１５、　　突起部
１６、　　支点軸
１７、　　保持穴
【図１】
2004024814.tif 000003
【図２】
2004024814.tif 000004
【図３】
2004024814.tif 000005
(57)【要約】【課題】従来のマスクは、口にぴたりとついて覆っていた。したがって声が出しにくかった。味見も外さなければ出来なかった。それを口の前を開けることにより声が出せて、マスクをつけたまま、味見も出きるようにした。喋っても唾が飛ばない。【解決手段】マスク本体（１）の下部を折り曲げ（２）、底面（３）を内側へ約１５０度折り曲げて固定（４）、穴（５）を明けて、ゴム（６）を付けたことを特徴とする。【選択図】　図１
2004024819.tif 000002
【特許請求の範囲】
【請求項１】
マスク本体（１）の下部を折り曲げ（２）、底面（３）を内側へ約１５０度折り曲げて固定（４）、穴（５）を明けて、ゴム（６）を付けたマスク。
【発明の詳細な説明】
この特許は、マスク本体の下部を折り曲げて耳かけゴムを付けたクッキング用マスクに関するものである。
従来、マスクは、口をふさぐので声が出しにくかった。又、料理をする時喋ると唾がとんでいた。味見をする時などマスクを外してしていた。
本特許は、その欠点を除くためになされたもので、それを図面について説明すれば、マスク本体（１）の下部を折り曲げ（２）、底面（３）を内側へ約１５０度折り曲げて固定（４）、穴（５）を明けて、ゴム（６）をつける。
このようにすることにより、マスクをかけた時口の前が開く、又、マスクの先端を顎の方に押すと、耳かけゴムで引っ張っているマスクの底面が、喉の方に折れてマスクが水平になる。そのマスクの先端を引くと元にもどる。
本発明は、このような構造であるから、口の前が開いているのでマスクをかけたまま声が出せる。喋っても唾が飛ばない。マスクの先端を押し水平にすると、マスクを付けたまま味見ができる。又、外側に引くと元にもどる。
【図面の簡単な説明】
【図１】本発明の斜視図である。
【図２】本発明の使用中の側面図である。
【図３】本発明の水平使用中の側面図である。
【図４】本発明の使用中の一部を欠いた顎の下の断面図である。
【図５】本発明の水平使用中の一部を欠いた顎の下の断面図である。
【符号の説明】
１はマスク本体、　２は下部折り曲げ、　３は底面、　４は固定部分、　５は穴、　６は耳かけゴム、　７は顎。
【図１】
2004024819.tif 000003
【図２】
2004024819.tif 000004
【図３】
2004024819.tif 000005
【図４】
2004024819.tif 000006
【図５】
2004024819.tif 000007
(57)【要約】【課題】車椅子使用者が車椅子に座り、家から車への移動時に紫外線・雨・雪が降りかかり大変不快感を感じている。また、運動会観戦・海水浴・ハイキングなど長時間外で座っている人の場合は、紫外線による皮膚への悪影響を感じている。それを防ぐような長時間座っていても疲れず体に優しい素材を使った座椅子を作るのが目的である。【解決手段】座椅子本体に、可動日除け２段パイプ（２）を設け、そのパイプにＵＶカット布地を付け、そのパイプ角度を変える事により、車椅子使用時に座りながらも紫外線・急な雨を防ぐことができる。座席延長部角度調節（９）により、車椅子使用時、通常膝が９０度になるが、角度を調節することにより足を楽にしてあげる事ができる。長時間座っている場合は、足が疲れるので座席延長部（３）を伸ばすことにより足をリラックスさせる事ができる。また、背もたれを倒すことにより寝そべることもできる。このような機能を使い、紫外線・雨・雪などから防ぎ、使用場所で形態を変えられるようにした。【選択図】　　図１
2004024813.tif 000002
【特許請求の範囲】
【請求項１】
（イ）従来からある座椅子の、背もたれの部分がリクライニングになり角度調節できる機能に、可動日除け２段パイプ（２）を一体化させ日除け機能として、野外でも使用できるようにした図１。
（ロ）座席部分に折りたたみ式に、座席延長部（３）を設け、使用する人の座る体勢、足の角度を調節できるようにした図１。
（ハ）座椅子に一体化された可動日除け２段パイプ（２）に、ＵＶカット布地（４）を覆い取り付けることにより、紫外線・雨・雪を防ぐようにした。
（二）可動日除け２段パイプ（２）に、ＵＶカット布地（４）を覆い取り付けられた部分は、日除け角度調節マジックテープ（５）により、日除け部分のパイプ角度を変えられ、また固定できるようにした。
（ホ）可動日除け２段パイプ（２）の高さの調節として、上下スライド調節（８）を設け、使用する人の座高に合わせられるようにした図１。
（ヘ）背もたれ部分背面に、車椅子装着ベルト（６）を付け、野外でも車椅子上でも使用することができるようにした図５。
【発明の詳細な説明】
【０００１】
【発明の属する技術分野】
この発明は、本来の座椅子機能に、可動日除け２段パイプ（２）座席延長部（３）による機能変化、車椅子装着ベルト（６）で野外でも使用でき、車椅子上にも装着できる座椅子に関するものである。
【０００２】
【従来の技術】
従来の座椅子には、可動日除け２段パイプ（２）座席延長部（３）による機能変化・車椅子上に装着できるものはなく、主に室内用として機能・用途が限られ座椅子の背もたれの角度を変えられるだけである。
【０００３】
【発明が解決しようとする課題】
本発明は、主に室内用として機能・用途が限られている座椅子を、可動日除け２段パイプ（２）座席延長部（３）による機能変化・車椅子に装着機能を付ける事により、使用用途を運動会観戦、海水浴、ハイキング、キャンプまたは車椅子による外出・移動時・散歩などに使用できる事を課題として研究をすすめた。特に車椅子使用者からの強い要望があり、それにこたえるため発明されたものである。
【０００４】
【課題を解決するための手段】
（イ）座椅子本体の背もたれ上部に日除け２段パイプ（２）が付き、パイプにＵＶカット布地（４）を設ける。
（ロ）背もたれ上部に、ＵＶカット布地（４）を固定・角度調節するために日除け角度調節マジックテープ（５）を設ける。
（ハ）背もたれと日除け２段パイプ（２）の高さ調節として上下スライド調節（８）を設ける。
（ニ）座席部下に座席延長部（３）を設ける。
（ホ）背もたれ背面部には、車椅子上に装着するために車椅子固定ベルト（６）を設ける。
（ヘ）車椅子に装着する際の、足の角度の調節に座席延長部角度調節を設ける。以上のように装置する。
【０００５】
【発明の実施の形態】
従来の座椅子を、主に室内用として使用するだけでなく、もっと多目的に使用できないかと考え、外で使用する際には可動日除け２段パイプ（２）日除け角度調節（５）ＵＶカット布地（４）により紫外線を防ぐ・座席延長部（３）による機能変化で足の疲れを癒す・車椅子に装着できる車椅子固定ベルト（６）を付けることにより外出や移動時の紫外線や雨を防げる・人それぞれ座高が違うので高さ調節として上下スライド調節（８）を付けた。どのような形状・重さ・高さ・日除け部の布地・可動日除け２段パイプ（２）のパイプの形状はどのようなのが理想かを実験と理論の結果、図１のような機能が最良であることを発見した。
【０００６】
【発明の効果】
本発明は以上のような構造であるから、可動日除け２段パイプ（２）を可動させる事により、紫外線・雨・風・雪を防ぎ、日除けの高さ角度を調節でき、座席延長部（３）が付くため、足を伸ばすことができる。背もたれ部分を倒すことにより、寝そべることもでき、幼児を休息させられる。車椅子使用時にも紫外線から守ることができる。
【図面の簡単な説明】
【図１】本発明の斜視図
【図２】本発明の側面図
【図３】本発明の側面日除け使用図
【図４】本発明の側面背もたれ倒し図
【図５】本発明の背面図
【符号の説明】
（１）座椅子本体
（２）可動日除け２段パイプ
（３）座席延長部
（４）ＵＶカット布地
（５）日除け角度調節
（６）車椅子固定ベルト
（７）マジックテープ
（８）上下スライド調節
（９）座席延長部角度調節
（１０）リクライニング機能
【図１】
2004024813.tif 000003
【図２】
2004024813.tif 000004
【図３】
2004024813.tif 000005
【図４】
2004024813.tif 000006
【図５】
2004024813.tif 000007
(57)【要約】　　　（修正有）【課題】足，脚の怪我をすると　Ａ松葉杖の場合　１自分の事ですらできない。２慣れるのに時間がかかる。３疲れる。４運動不足になる。５使用しない時置き場所に困る。Ｂ車椅子の場合　１車の通れる広さの確保が必要。２良い足、脚まで弱くなる。３運動不足になる。以上に配慮した片足補助機器を提供する。【解決手段】１使い慣れやすい。２狭い所でも通れる。３背の高さは以前と変わらない。４キャスターＧを施し自由自在に動くことが出来る。５両手がフリーになり殆ど以前と同じ作業が出来る。６入浴の際も湯船につかるまで使用できる。７トイレも使用できる。８使用しない時は形がコンパクトで、椅子に座る時は支柱の高さを調節して本機に足を載せておくと腫れがひくし、体勢を変え易い。９本機と足、脚をテープで固定しない。１０安定、安全を図るため本機にかかる体重のかけ方を変えるため、本機の左右の使い分けが必要（支柱の位置）。以上を満たす構成にする。【選択図】　図１
2004024817.tif 000002
【特許請求の範囲】
【請求項１】
膝下を痛めて治療中に、松葉杖を使用しなくても本機に痛めた肢を載せることによってバランス良く直立することが出来る
【請求項２】
支柱の高さは調節できるので老若男女問わず使用が可能である。
【請求項３】
松葉杖を使用しなくて済むので両腕，両肩に負担がかからないだけでなく両手がフリーになるので直立時も手作業をすることが可能になる。
【請求項４】
本機底面にはキャスターが装備してあるので両足歩行の補助として効果的である。
【発明の詳細な説明】
【０００１】
本機は痛めた膝下の脚、足を板の上に乗せると、松葉杖を使用しなくても自由自在に移動が出来る。
【０００２】
本機に載せた脚が前方に滑らないように滑り止めを取り付けてある。
【０００３】
本機の支柱の高さは即座に調節出来る。
【０００４】
両手が空くので自由に使える。
【０００５】
キャスターを施しているので怪我をする前と同じ程度のことが出来る。
【０００６】
マジックテープで固定しなくても危険でない。
【発明の属する技術分野】
【０００７】
歩行補助装具。
【従来の技術】
松葉杖。
【発明が解決しようとする課題】
【０００８】
松葉杖を使って歩き辛い。
【０００９】
松葉杖を使用したまま、立ち作業はやり辛い。
【００１０】
松葉杖を使用すると両手が使えなくなる。
【００１１】
松葉杖を使用しない時、それを直立にしておくと転倒しやすく、斜めにして置くと足元でつまずくので、狭いところでは置き場に困る。
【００１２】
内出血で脚が腫れてくると、高め目の所に脚を乗せるが、同じ姿勢は辛い。
【課題を解決するための手段】
【００１３】
【０００８】
【０００９】
【００１０】の解決法は本機に痛めた脚を乗せて歩く。
【００１４】
【００１１】の解決法は形が長くなくコンパクトなので待機させやすい。
【００１５】
【００１２】本機の高さを調節して底にキャスターが施してあるので痛めた脚を乗せると体勢を変え易いので楽である。
【発明の効果】
【００１６】
学校に応急処置として保健室に左右の本機を常備しておく。
整形や接骨院等に本機を常備することによって、学生や会社内の社員や主婦等は簡単に移動が出来、一連の作業もこなすことができる。
【００１７】
本機を製造するには
１・材料は軽くて強い物
２・接続箇所が少ないので完成が速い
３・部品が少ないので製造担当者は少人数でよい
【図面の簡単な説明】
2004024817.tif 000003
【手続補正書】
【提出日】平成14年9月24日(2002.9.24)
【手続補正２】
【補正対象書類名】明細書
【補正対象項目名】図面の簡単な説明
【補正方法】変更
【補正の内容】
【図面の簡単な説明】
【図１】投影図
【符号の説明】Ａ．足（脚）乗せ台
Ｂ．滑り止め壁
Ｃ．内支柱（高低調節可）
Ｄ．外支柱（高低調節可）
Ｅ．固定用ボルト
Ｆ．基盤
Ｇ．キャスター


【手続補正３】
【補正対象書類名】図面
【補正対象項目名】全図
【補正方法】追加
【補正の内容】
【図１】
2004024817.tif 000004
(57)【要約】【課題】ストッキングを同時に洗っても破損せず、もつれない。尚且つ、乾燥、収納の手間を省く。【解決手段】洗濯ネットをストッキングサイズに小分けしたものを５つ繋げる。その上部にマジックテープのついた平テープをつける。【選択図】　図１
2004024815.tif 000002
【特許請求の範囲】
【請求項１】
（１）ストッキングサイズ（縦１５センチメートル、横１８センチメート
ル）に小分けされた５個繋がりの洗濯ネット。
（２）ハンガーにネットごと干せる洗濯ネットの上部についたマジックテ
ープ。
【発明の詳細な説明】
【０００１】
ストッキングサイズの小さな洗濯ネットを５つ繋げ、上部にマジックテープのついた平テープを付け洗濯後ハンガーに取り付けられ乾燥、保存がで
きるようにした。
【発明の属する技術分野】
【０００２】
洗濯による破損を防ぎ、乾燥，保存を効率よくするための洗濯ネットの製
造方法に関する。
【従来の技術】
【０００３】
１つの大きな洗濯ネットに何個かのストッキングを入れて洗濯機で洗い、
その後、絡まった何個かのストッキングを解し各々干す。
【発明が解決しようとする手段】
【０００４】
１つ１つストッキングサイズの小さな洗濯ネットに入れることにより、ストッキング各々の絡みを防ぎ、洗濯後の乾燥がハンガーを使用しでき、か
つそのままハンガーを使い保存もできる。
【発明の実施の形態】
【０００５】
縦１５センチメートル　横１８センチメートルの小分けした洗濯ネットを５　　つ繋げ上部に平ゴムをつけ平ゴムにマジックテープをつけたものである。また、小分けした洗濯ネットは各々上部にファスナーをつけるたものである。
【実施例】
【０００６】
小分けされた洗濯ネットに各々ストッキングを入れ、洗濯機で洗い、ハンガーに洗濯ネットの上部についているマジックテープを利用し付着させ、洗濯ネットに入れたままストッキングを乾燥させ、かつハンガー掛にそのままハ
ンガーごと保存する。
【発明の効果】
本発明は以上説明したような形態で実施され、以下に記載されるような効果
を奏する。
【０００７】
洗濯によるストッキングの破損、ストッキング各々の絡みを防ぎ乾燥、保存
時に生ずる時間の短縮。
【図面の簡単な説明】
【図１】洗濯ネットの全体図。
【図２】平テープのハンガーに取り付けたときの拡大図。
【図１】
2004024815.tif 000003
【図２】
2004024815.tif 000004